(57)【要約】【課題】フェース面を硬さが異なる複数の材料で構成するにあたり、材料の剥離や欠損を防止すること。【解決手段】トウ−ヒール方向に延びるスコアラインが、上下方向に複数形成されたフェース面を備えるゴルフクラブヘッドにおいて、前記フェース面が、フェース面形成部材と、少なくとも１つの前記スコアラインを形成する、少なくとも１つのスコアライン形成部材と、を備え、前記フェース面形成部材と前記スコアライン形成部材とは互いに硬さが異なる材料であり、前記フェース面形成部材は、前記スコアライン形成部材が埋設される凹部を有し、前記凹部は、トウ−ヒール方向に延びると共に、その上側及び下側の少なくともいずれか一方に、前記フェース面形成部材により形成される前記フェース面の裏側に入り込んだえぐり部を有する。【選択図】図２
2014135984.tif 000002
【特許請求の範囲】
【請求項１】
トウ−ヒール方向に延びるスコアラインが、上下方向に複数形成されたフェース面を備えるゴルフクラブヘッドにおいて、
前記フェース面が、
フェース面形成部材と、
少なくとも１つの前記スコアラインを形成する、少なくとも１つのスコアライン形成部材と、を備え、
前記フェース面形成部材と前記スコアライン形成部材とは互いに硬さが異なる材料であり、
前記フェース面形成部材は、前記スコアライン形成部材が埋設される凹部を有し、
前記凹部は、トウ−ヒール方向に延びると共に、その上側及び下側の少なくともいずれか一方に、前記フェース面形成部材により形成される前記フェース面の裏側に入り込んだえぐり部を有する、
ことを特徴とするゴルフクラブヘッド。
【請求項２】
前記スコアラインの各側壁と前記フェース面との境界部分に丸みが形成され、
前記スコアライン形成部材は、少なくとも前記丸みの一部を形成する、
ことを特徴とする請求項１に記載のゴルフクラブヘッド。
【請求項３】
前記スコアラインの各側壁と前記フェース面との境界部分に丸みが形成され、
前記スコアライン形成部材は、
少なくとも一方の前記側壁側の前記丸みの途中から開始される、
ことを特徴とする請求項１に記載のゴルフクラブヘッド。
【請求項４】
前記一方の前記側壁が、前記スコアラインの上側の側壁である、
ことを特徴とする請求項３に記載のゴルフクラブヘッド。
【請求項５】
前記凹部は、
少なくともその上側に前記えぐり部を有する、
ことを特徴とする請求項１に記載のゴルフクラブヘッド。
【請求項６】
前記スコアライン形成部材は前記フェース面形成部材よりも軟らかい材料である、
ことを特徴とする請求項１に記載のゴルフクラブヘッド。
【請求項７】
前記スコアライン形成部材は前記フェース面形成部材よりも硬い材料である、
ことを特徴とする請求項１に記載のゴルフクラブヘッド。
【請求項８】
前記凹部は、
その上側と下側の双方に、それぞれ、前記えぐり部を有する、
ことを特徴とする請求項１に記載のゴルフクラブヘッド。
【請求項９】
１つの前記スコアライン形成部材は１つの前記スコアラインを形成し、
前記凹部は、
底壁と一対の側壁とを有する方形の断面形状を有し、
前記底壁は前記フェース面と平行ではなく、
前記一対の側壁のうちの一方は、前記えぐり部を画定し、
前記一対の側壁のうちの前記一方前記フェース面とにより形成される角部の角度が９０度未満である、
ことを特徴とする請求項１に記載のゴルフクラブヘッド。
【請求項１０】
トウ−ヒール方向に延びるスコアラインが、上下方向に複数形成されたフェース面を備えるゴルフクラブヘッドの製造方法において、
前記フェース面が、フェース面形成部材と、少なくとも１つの前記スコアラインを形成する、少なくとも１つのスコアライン形成部材と、を備え、
トウ−ヒール方向に延びる凹部を有する前記フェース面形成部材を準備する準備工程と、
前記凹部を前記スコアライン形成部材で埋める埋設工程と、を含み、
前記フェース面形成部材と前記スコアライン形成部材とは互いに硬さが異なる材料であり、
前記凹部は、その上側及び下側の少なくともいずれか一方に、前記フェース面形成部材により形成される前記フェース面の裏側に入り込んだえぐり部を有する、
ことを特徴とする製造方法。
【発明の詳細な説明】
【技術分野】
【０００１】
本発明はゴルフクラブヘッドに関するものである。
【背景技術】
【０００２】
一般に、ゴルフクラブヘッドのフェース面にはトウ−ヒール方向に互いに平行な複数の直線状の溝が形成されている（例えば特許文献１及び２）。この溝はスコアライン、マーキングライン、フェースライン等と呼ばれている（本書においてはスコアラインと称する。）。フェース面は打撃性能に大きく影響する。そこで、打感や打球のスピン量或いは飛距離を向上するため、ゴルフクラブヘッドを複数種類の材料から構成することが提案されている（例えば、特許文献１乃至３）。
【先行技術文献】
【特許文献】
【０００３】
【特許文献１】特開平１０−１０８９２７号公報
【特許文献２】特開平７−１６３６８８号公報
【特許文献３】特開２００１−２９３１１５号公報
【発明の概要】
【発明が解決しようとする課題】
【０００４】
フェース面を硬い材料で構成した場合、耐摩耗性は向上するが、スコアラインの加工性や打感が低下する場合がある。逆にフェース面を軟らかい材料で構成した場合、スコアラインの加工性や打感は向上するが、耐摩耗性は低下し、スコアラインの周辺が摩耗して打球のスピン量が低下する。そこで、フェース面を硬さが異なる複数の材料から構成する対策が考えられるが、フェース面には打撃の度に衝撃荷重が作用することから、材料の剥離や欠損を防止することが必要となる。
【０００５】
本発明の目的は、フェース面を硬さが異なる複数の材料で構成するにあたり、材料の剥離や欠損を防止することにある。
【課題を解決するための手段】
【０００６】
本発明によれば、トウ−ヒール方向に延びるスコアラインが、上下方向に複数形成されたフェース面を備えるゴルフクラブヘッドにおいて、前記フェース面が、フェース面形成部材と、少なくとも１つの前記スコアラインを形成する、少なくとも１つのスコアライン形成部材と、を備え、前記フェース面形成部材と前記スコアライン形成部材とは互いに硬さが異なる材料であり、前記フェース面形成部材は、前記スコアライン形成部材が埋設される凹部を有し、前記凹部は、トウ−ヒール方向に延びると共に、その上側及び下側の少なくともいずれか一方に、前記フェース面形成部材により形成される前記フェース面の裏側に入り込んだえぐり部を有する、ことを特徴とするゴルフクラブヘッドが提供される。
【０００７】
また、本発明によれば、トウ−ヒール方向に延びるスコアラインが、上下方向に複数形成されたフェース面を備えるゴルフクラブヘッドの製造方法において、前記フェース面が、フェース面形成部材と、少なくとも１つの前記スコアラインを形成する、少なくとも１つのスコアライン形成部材と、を備え、トウ−ヒール方向に延びる凹部を有する前記フェース面形成部材を準備する準備工程と、前記凹部を前記スコアライン形成部材で埋める埋設工程と、を含み、前記フェース面形成部材と前記スコアライン形成部材とは互いに硬さが異なる材料であり、前記凹部は、その上側及び下側の少なくともいずれか一方に、前記フェース面形成部材により形成される前記フェース面の裏側に入り込んだえぐり部を有する、ことを特徴とする製造方法が提供される。
【発明の効果】
【０００８】
本発明によれば、フェース面を硬さが異なる複数の材料で構成するにあたり、材料の剥離や欠損を防止することができる。
【図面の簡単な説明】
【０００９】
【図１】本発明の一実施形態に係るゴルフクラブヘッドの斜視図。
【図２】フェース面の断面図。
【図３】（Ａ）及び（Ｂ）はＮＣフライス盤による切削加工の説明図。
【図４】図１のゴルフクラブヘッドの製造方法の説明図。
【図５】図１のゴルフクラブヘッドの製造方法の説明図。
【図６】（Ａ）及び（Ｂ）は別例の説明図。
【図７】（Ａ）及び（Ｂ）は別例の断面図。
【図８】は別例の断面図。
【図９】別例の分解斜視図。
【図１０】図９の例の製造方法の説明図。
【発明を実施するための形態】
【００１０】
＜第１実施形態＞
図１は本発明の一実施形態に係るゴルフクラブヘッド１の斜視図、図２はフェース面（打撃面）１０の断面図である。本実施形態の場合、フェース面１０は平坦面である。図中、矢印ｄ１はトウ−ヒール方向を示す。矢印ｄ２はｄ１方向と直交する方向（上下方向）を示し、図２はｄ２方向に沿うフェース面１０の断面図である。矢印ｄ２で示される上下方向は、ゴルフクラブヘッド１をソールした場合の上下関係に基づいていることは言うまでも無い。矢印ｄ３はフェース面１０の表裏方向を示し、フェース面１０の法線方向である。
【００１１】
本実施形態ではアイアン型のゴルフクラブヘッドに本発明を適用した例を示す。本発明は、アイアン型のゴルフクラブヘッド、特に、ミドルアイアン、ショートアイアン、ウェッジ型のゴルフクラブヘッドに好適であり、具体的には、ロフト角が３０度以上７０度以下、ヘッド重量が２４０ｇ以上３２０ｇ以下のゴルフクラブヘッドに好適である。しかし、本発明はウッド型やユーティリティー型（ハイブリッド型）のゴルフクラブヘッドにも適用できる。
【００１２】
ゴルフクラブヘッド１は複数種類の部材から構成されている。本実施形態の場合、大別すると２種類の部材から構成されている。すなわち、ゴルフクラブヘッド１は、本体部材２と、複数のスコアライン形成部材３と、を備える。本体部材２は、フェース面１０やホゼル部１１を形成し、スコアライン形成部材３以外の部分を構成している。本体部材２はフェース面１０を形成している点でフェース面形成部材である。ホゼル部１１には不図示のシャフトが挿入される。本実施形態では、本体部材２を１部材構成としたが、２部材以上に分離してもよい。例えば、本体部材２を、フェース面１０を含む部材と、残りの部分を構成する部材と、の２部材から構成してもよい。
【００１３】
フェース面１０には、複数の凹部２００が形成されている。各凹部２００はｄ１方向に延設されており、互いに平行にｄ２方向に配列されている。スコアライン形成部材３は凹部２００を密に埋める部材であって、凹部２００に固定されている。
【００１４】
本実施形態の場合、凹部２００は、そのｄ１方向の両端部を除いて、底壁２０１と、互いに平行な一対の側壁２０２とを有する方形の断面形状を有している。底壁２０１はフェース面１０とは平行ではなく、凹部２００はフェース面１０に対して斜めに形成された方形断面形状のものとなっている。
【００１５】
スコアライン形成部材３の断面形状も、凹部２００の断面形状に合わせた形状をなしている。無論、これらの断面形状は方形以外の形状であってもよい。
【００１６】
凹部２００は、その上側において、本体部材２により形成されるフェース面１０の裏側に入り込んだえぐり部２０３を有する。線Ｌはフェース面１０と直交する仮想線であって、凹部２００に対するフェース面１０の端縁を示している。えぐり部２０３は、図２で見ると線Ｌよりも左側の領域となっている。
【００１７】
凹部２００の一対の側壁２０２のうち、上側の側壁２０２は底壁２０１の一部と共にえぐり部３１を画定している。上側の側壁２０２とフェース面とにより、楔形の角部が形成され、その角度αは９０度未満である。角度αは好ましくは、３０度以上８０度以下である。
【００１８】
スコアライン形成部材３は、このえぐり部２０３を埋める部分３１を有している。部分３１が存在することで、スコアライン形成部材３はフェース面１０の法線方向に、凹部２００から抜けづらくなる。したがって、スコアライン形成部材３の剥離や欠損を防止することができる。
【００１９】
フェース面１０には複数本のスコアライン２０ａ、２０ｂが形成されている。本実施形態の場合、スコアライン２０ａは本体部材２に形成されており、スコアライン２０ｂはスコアライン形成部材３に形成されている。図２ではスコアライン２０ｂのみの断面形状を示しているが、スコアライン２０ａも同様の断面形状を有している。
【００２０】
各々のスコアライン２０ａ、２０ｂはトウ−ヒール方向（ｄ１方向）に延設された、互いに平行な直線状の溝である。本実施形態の場合、各々のスコアライン２０ａ、２０ｂの配設間隔（ピッチ）は等間隔（等ピッチ）であるが、配設間隔が異なっていてもよい。本実施形態において、スコアライン２０ａ、２０ｂの断面形状は、その長手方向の両端部（トウ側端部、ヒール側端部）を除き、同じである。また、各々のスコアライン２０ａ、２０ｂの断面形状は同じである。
【００２１】
スコアライン２０ａ、２０ｂは、一対の側壁２１と、底壁２２とを有し、その断面形状は中心線ＣＬで左右対称な台形状に形成されている。なお、スコアライン２０の断面形状は台形状に限られず、Ｖ字状等、他の形状でもよい。側壁２１とフェース面１０との境界部分となる縁２３には丸みが形成されている。丸みの半径は例えば、０．０５ｍｍ以上０．３ｍｍ以下である。図２において、点ＢＰは、フェース面１０側における丸みの開始点を示している。
【００２２】
本実施形態の場合、スコアライン形成部材３は、一対の開始点ＢＰよりも外側の部分（フェース面１０の一部）までを形成している。つまり、縁２３の丸みの全部がスコアライン形成部材３によって形成されている。これはスコアライン２０ｂの形成の容易化に寄与する場合がある。
【００２３】
スコアライン２０ａ、２０ｂの深さ（底壁２２とフェース面１０との距離）Ｄ１は０．３ｍｍ以上が好ましい。ゴルフクラブヘッド１を競技用とする場合、ルールを充足する点で、深さＤ１は０．５ｍｍ以下とする。スコアライン２０の幅（３０度測定法による幅）Ｗ１は０．６ｍｍ以上が好ましい。ゴルフクラブヘッド１を競技用とする場合、ルールを充足する点で、幅Ｗ１は０．９ｍｍ以下とする。
【００２４】
スコアライン２０ｂの形成を容易化する点で、凹部２００の底壁２０１と、スコアライン２０ｂの底壁２２との最小厚みｔは、０．２ｍｍ以上であることが好ましい。
【００２５】
本体部材２とスコアライン形成部材３とは互いに硬さが異なる材料から形成される。例えば、スコアライン形成部材３を本体部材２よりも軟らかい材料から構成する。この場合、本体部材２によってフェース面１０の耐摩耗性を向上しつつ、スコアライン形成部材３によってスコアライン２０ｂの加工性を向上できる。逆に、スコアライン形成部材３を本体部材２よりも硬い材料から構成する。この場合、本体部材２によって打感を向上しつつ、スコアライン形成部材３によってスコアライン２０ｂの周囲の耐摩耗性を向上できる。
【００２６】
本体部材２及びスコアライン形成部材３の材料としては、例えば、軟鉄、マルエージング鋼、ステンレス鋼、アルミ合金、銅合金、チタン合金、セラミックス、タングステン合金、樹脂、ガラス、カーボン等が挙げられる。スコアライン形成部材３は、また、金属粉末を含有したエポキシ系樹脂等の金属パテであってもよい。
【００２７】
本体部材２にはスコアラインを直接形成せず、全てのスコアラインをスコアライン形成部材３によって形成してもよい。また、１つのスコアラインのみスコアライン形成部材３で形成してもよい。
【００２８】
スコアライン形成部材３の数が増えると工数が増えて、却って製造効率が悪くなる場合がある。そこで、本実施形態の場合は、フェース面１０の一部の領域（上部）にはスコアライン形成部材３を用いずに本体部材２に直接スコアライン２０ａを形成している。本体部材２を鋳造で製造する場合、スコアライン２０ａは鋳造時に一体的に成型されることが好ましい。
【００２９】
本実施形態の場合、１つのスコアライン形成部材３は１つのスコアライン２０ｂを形成するようにしている。これにより、スコアライン形成部材３のｄ２方向の幅を狭くすることができ、スコアライン形成部材３の面積を小さくしたい場合に有利である。換言すると、フェース面１０のうち、少なくとも平坦な領域（スコアライン２０及びその縁２３の丸みを除いた部分）は本体部材２で形成したい場合に有利である。
【００３０】
例えば、スコアライン形成部材３を本体部材２よりも軟らかい材料とする場合、耐摩耗性の点でその面積が小さい方が好ましく、したがって、本実施形態の構成とすることが好ましい。また、例えば、スコアライン形成部材３を本体部材２よりも硬い材料とする場合も、打感向上の点でその面積が小さい方が好ましく、したがって、本実施形態の構成とすることが好ましい。
【００３１】
本実施形態の場合のように、全てのスコアラインをスコアライン形成部材３によって形成しない構成の場合、ｄ２方向に連続して配置される少なくとも複数のスコアライン２０をスコアライン形成部材３で形成することが好ましい。これは、打点によって、打感やスピン量が大きく異なることを抑制する。但し、この場合であっても、スコアライン形成部材３で形成するスコアライン２０ｂの全部が、ｄ２方向に連続して配置されている必要はなく、途中にスコアライン形成部材３を用いずに本体部材２に直接形成されるスコアライン２０が含まれていてもよい。
【００３２】
次に、ゴルフクラブヘッド１の製造方法、特に、凹部２００、スコアライン２０ａ及び２０ｂの形成方法について説明する。凹部２００、スコアライン２０ａは、例えば、鍛造、鋳造、切削加工、レーザ加工により形成することができる。スコアライン２０ｂは、例えば、切削加工、レーザー加工により形成することができる。
【００３３】
ここでは、凹部２００、スコアライン２０ａ及び２０ｂをいずれも切削加工により形成する場合について図３（Ａ）乃至図５を参照して説明する。図３はＮＣフライス盤により切削加工を行う場合の説明図である。図４はゴルフクラブヘッド１の製造方法の説明図であり、各工程における本体部材１やスコアライン形成部材３のｄ２方向に沿う断面図である。図５はゴルフクラブヘッド１の製造途中の全体図を示している。
【００３４】
まず、凹部２００及びスコアライン２０ａが未形成の本体部材１と、スコアライン２０ｂが未形成のスコアライン形成部材３とを作成する。次に、本体部材１を図３（Ａ）に示すようにＮＣフライス盤に治具１０１を介して固定する。ＮＣフライス盤は、Ｚ軸回りに回転駆動されるスピンドル１０２を有し、スピンドル１０２の下端には切削ツール（エンドミル）１０３が取り付けられている。切削ツール１０３は、凹部２００やスコアライン２０ａ及び２０ｂの形成に適したものを選択的に装着する。
【００３５】
まず、凹部２００を形成する。凹部２００の形成の際には、図３（Ｂ)に示すように、凹部２００形状にしたがって、Ｚ軸に対してフェース面１０の法線方向が傾斜するように本体部材１がセットされる。
【００３６】
ＮＣフライス盤において、スピンドル１０２を回転駆動し、フェース面１０又は切削ツール１０３を、トウ−ヒール方向（ｄ１方向）に相対的に移動しながら、フェース面１０を切削する。
【００３７】
一つの凹部２００を形成すると、切削ツール１０３をフェース面１０から離間させた後、凹部２００の配列方向（ｄ２方向）に切削ツール１０３を相対的に移動し、次の凹部２００を形成する。こうして複数の凹部２００順次凹部２００が形成される。図４及び図５の状態ＳＴ１はフェース面１０に凹部２００が形成された状態を示す。こうして凹部２００を複数有する本体部材２が準備される（準備工程）。
【００３８】
次に、図４及び図５の状態ＳＴ２に示すように、スコアライン形成部材３を、各々の凹部２００に埋めて固定する（埋設工程）。この段階ではスコアライン形成部材３にスコアライン２０ｂは未形成である。固定方法としては、接着、溶接、ロウ付け、カシメが挙げられる。更に、スコアライン形成部材３を溶解して液状としておき、凹部２００に注入して固化してもよい。また、スコアライン形成部材３として、金属パテのように原素材が液状ものである場合も、金属粉を混入した本剤と硬化剤とを混合して凹部２００に注入して固化することができる。この固定工程を行う際には、本体部材２を一旦ＮＣフライス盤から取り外してもよい。
【００３９】
埋設工程の後にはスコアライン２０ａ、２０ｂを形成する。そこで、Ｚ軸に対してフェース面１０の法線方向が平行となるように本体部材１がセットされる。状態ＳＴ２に示すようにスコアライン形成部材３の縁には起伏が存在する場合がある。そこで、スコアライン形成工程の前に、フェース面１０を平滑化する工程を行って起伏を除去してもよい。図４の状態ＳＴ３は起伏を除去した状態を示す。フェース面１０の平滑化としては、比較的大径の切削ツール１０３により、フェース面１０全体を薄く切削することが挙げられる。また、フェース面１０の平滑化は切削以外に研磨により行ってもよい。
【００４０】
次に、スコアラインを形成する工程に移り、スコアライン２０ａ、２０ｂを形成する。スコアライン２０ａは本体部材２に形成し、スコアライン２０ｂはスコアライン形成部材３に形成する。図４の状態ＳＴ４はスコアライン形成部材３にスコアライン２０ｂを形成した状態を示す。なお、本実施形態の場合、凹部２００間にはスコアライン２０ａを形成しない。
【００４１】
スコアライン２０ａ、２０ｂの形成方法は凹部２００の形成方法と同様である。すなわち、スピンドル１０２を回転駆動し、フェース面１０又は切削ツール１０３を、トウ−ヒール方向（ｄ１方向）に相対的に移動しながら、フェース面１０を切削する。一つのスコアライン２０ａ又は２０ｂを形成すると、切削ツール１０３をフェース面１０から離間させた後、スコアライン２０ａ及び２０ｂの配列方向（ｄ２方向）に切削ツール１０３を相対的に移動し、次のスコアライン２０ａ又は２０ｂを形成する。こうしてスコアライン２０ａ及び２０ｂが形成される。
【００４２】
＜第２実施形態＞
上記実施形態では、１つのスコアライン形成部材３に１つのスコアライン２０ｂを形成したが、複数形成してもよい。図６（Ａ）の例は、スコアライン形成部材３に代わるスコアライン形成部材３Ａに２つのスコアライン２０ｂを形成したものである。凹部２００に代わる凹部２００Ａもスコアライン形成部材３Ａが埋設される形状とされる。この構成の場合、スコアライン形成部材３Ａの総数が減るので、ゴルフクラブヘッド１の部品点数を減らすことができる。
【００４３】
＜第３実施形態＞
凹部２００は、少なくとも一方の端部が開放した溝であってもよい。図６（Ｂ）の例では、凹部２００に代わる凹部２００Ｂが本体部材２のトウ側で開放した溝である。スコアライン形成部材３に代わるスコアライン形成部材３Ｂは凹部２００Ｂに応じた形状とされ、本体部材２のトウ側まで延設されている。この構成の場合、スコアライン形成部材３Ｂを本体部材２のトウ側から凹部２００Ｂに差し込んで組み付けることが可能である。このため、スコアライン形成部材３Ｂ及び凹部２００Ｂの断面形状の選択肢が、上記実施形態よりも増加する。
【００４４】
＜第４実施形態＞
上記各実施形態では、スコアライン形成部材３によって、フェース面１０の一部も形成したが、フェース面１０を形成しない構成も採用可能である。図７（Ａ）の例は、一方の縁２３の丸みの開始点ＢＰから他方の縁２３の丸みの開始点ＢＰまでを形成するようにしている。この場合も、縁２３の丸みの全部がスコアライン形成部材３によって形成される。なお、同図の例ではスコアライン２０ｂの上側及び下側の双方について、スコアライン形成部材３がフェース面１０を形成しない構成としたが、上側のみスコアライン形成部材３がフェース面１０を形成しない構成等、上側及び下側の少なくともいずれか一方について、スコアライン形成部材３がフェース面１０を形成しない構成としてもよい。
【００４５】
次に、縁２３の丸みの全部をスコアライン形成部材３で形成する必要はなく、スコアライン形成部材３は、少なくとも縁２３の丸みの一部を形成していればよい。スコアライン形成部材３が縁２３の丸みの一部を形成する構成の場合、残りの部分は本体部材２が形成することになるが、その加工量は少なくて済み、縁２３の丸みの形成に大きな困難は伴わない。
【００４６】
図７（Ｂ）はその一例を示す。同図の例では、スコアライン２０ｂの一方の縁２３の丸みの途中の部分から他方の縁２３の丸みの途中の部分までがスコアライン形成部材３によって形成されている。なお、同図の例ではスコアライン２０ｂの上側及び下側の双方について、スコアライン形成部材３が縁２３の丸みの全部を形成しない構成としたが、下側の縁２３の丸みについてのみ、その全部をスコアライン形成部材３が形成しない構成等、上側及び下側の縁２３の丸みの少なくともいずれか一方について、スコアライン形成部材３が縁２３の丸みの全部を形成せずに、一部を形成するようにしてもよい。
【００４７】
＜第５実施形態＞
上記第１実施形態では、えぐり部２０３を凹部２００の上側に形成したが、下側に形成してもよい。但し、スコアライン２０ｂの縁２３のうち、上側の縁２３の方が打撃時にゴルフボールにスピンをかける点で負荷がかかり易い。したがって、えぐり部２０３を少なくとも凹部２００の上側に形成することで、スコアライン形成部材３の剥離や欠損をより効果的に防止することができる。
【００４８】
えぐり部２０３は凹部２００の上側と下側との双方に形成してもよい。図８はその一例を示す。同図の例では、ＮＣフライス盤で凹部２００Ｃを形成した場合を想定しており、破線Ｌ１、Ｌ２は切削ツール１０３の切削時の位置を示している。本例の場合、フェース面１０に対する切削ツール１０３の向きを変えて２回切削することで凹部２００Ｃを形成する。スコアライン形成部材３に代わるスコアライン形成部材３Ｃは、凹部２００Ｃの断面形状に応じた断面形状を有し、２つのえぐり部２０３をそれぞれ埋める部分３１を有している。
【００４９】
＜第６実施形態＞
上記第１実施形態では、凹部２００にスコアライン形成部材３を埋設した後に、スコアライン形成部材３にスコアライン２０ｂを形成したが、スコアライン２０ｂを形成済みのスコアライン形成部材３を、凹部２００に埋設してもよい。以下、その例について説明する。
【００５０】
図９は、本実施形態のゴルフクラブヘッド１の分解斜視図であり、上記第１実施形態と同様の構成については同じ符号を付して説明を割愛する。図９に示すように、本実施形態では、スコアライン２０ｂが形成済みのスコアライン形成部材３を、凹部２００に埋設する点が上記第１実施形態と異なっている。
【００５１】
次に、本実施形態における凹部２００、スコアライン２０ａ及び２０ｂの形成方法については、基本的に第１実施形態と同様である。スコアライン２０ｂは、例えば、鍛造、鋳造、切削加工、レーザー加工によりスコアライン形成部材３に予め形成することができる。
【００５２】
上記第１実施形態と同様に、凹部２００、スコアライン２０ａを切削加工により形成する場合を図１０を参照して説明するまず、凹部２００及びスコアライン２０ａが未形成の本体部材１と、スコアライン２０ｂを形成済みのスコアライン形成部材３とを作成する。
【００５３】
次に、ＮＣフライス盤によって、本体部材１に複数の凹部２００を形成する（図１０の状態ＳＴ１１）。これにより凹部２００を複数有する本体部材２が準備される（準備工程）。続いて、スコアライン２０ａを形成する。
【００５４】
スコアライン２０ｂは、スコアライン形成部材３に既に形成されている。よって、スコアライン形成部材３を、各々の凹部２００に埋設することで（埋設工程）、スコアライン２０ｂの形成が完了する。図１０の状態ＳＴ１２は凹部２００にスコアライン形成部材３が固定された状態を示す。固定方法としては、接着、溶接、ロウ付け、カシメが挙げられる。この固定作業を行う際には、本体部材２を一旦ＮＣフライス盤から取り外してもよい。
【００５５】
スコアライン形成部材３の縁には起伏Ｐが存在する場合がある。そこで、スコアライン形成工程の後、フェース面１０を平滑化する工程を行って起伏Ｐを除去してもよい。図１０の状態ＳＴ１３は起伏Ｐを除去した状態を示す。フェース面１０の平滑化としては、比較的大径の切削ツールにより、フェース面１０全体を薄く切削することが挙げられる。また、フェース面１０の平滑化は切削以外に研磨により行ってもよい。
【００５６】
＜他の実施形態＞
以上、本発明の実施形態について複数種類説明したが、各実施形態は互いに組み合わせることも可能である。
【図１】
2014135984.tif 000003
【図２】
2014135984.tif 000004
【図３】
2014135984.tif 000005
【図４】
2014135984.tif 000006
【図５】
2014135984.tif 000007
【図６】
2014135984.tif 000008
【図７】
2014135984.tif 000009
【図８】
2014135984.tif 000010
【図９】
2014135984.tif 000011
【図１０】
2014135984.tif 000012